(57)【要約】【課題】外観品質の良好な半透明の透光性材質によって構成される指針本体を、照明の有無に関わらず、文字板を裏面側から透過照明するメータに用いることにより、製造コストの上昇を抑制出来る車両用計器を提供する。【解決手段】計器ケース１１内に、ＬＥＤ１３の照光を表面側１２ａに透光することにより照明される文字板１４が設けられて、指針挿通用の開口１４ｃが形成されている。半透明の透光性材質によって構成される指針本体５ａの基部５ｂから突設された軸部５ｄを回転可能に挿通する指針５を有し、基部５ｂには、ＬＥＤ１３からの光を受け入れる受光部５ｃが設けられている。軸部５ｄの周囲には、受光部５ｃへのＬＥＤ１３からの光が入光しないように遮る遮蔽筒部材２０が設けられている。【選択図】  図１
2005010086.tif 000002
【特許請求の範囲】
【請求項１】
計器ケース内に、光源の照光を表面側に透光することにより照明される文字板が設けられると共に、該文字板には、指針挿通用の開口が形成されて、半透明の透光性材質によって構成される指針本体の基部から突設された軸部を回転可能に挿通する指針を有し、該基部には、前記光源からの光を受け入れる受光部が設けられている車両用計器であって、
前記軸部の周囲には、前記受光部への前記光源からの光が入光しないように遮る遮蔽筒部材が設けられていることを特徴とする車両用計器。
【請求項２】
前記遮蔽筒部材は、前記計器ケースに一体に形成されていることを特徴とする請求項１記載の車両用計器。
【請求項３】
前記計器ケース内には、回路基板が介装されると共に、前記指針本体の軸部を回転させるムーブメントを該回路基板の裏面側に装着することにより、前記遮蔽筒部材の下端部を該回路基板の表面側に当接させたことを特徴とする請求項１又は２記載の車両用計器。
【発明の詳細な説明】
【０００１】
【発明の属する技術分野】
この発明は、車両用計器に関し、特に発光指針を、発光の必要の無い計器にも用いることができる車両用計器に関する。
【０００２】
【従来の技術】
従来、図３に示すような自動車等の車両に搭載される車両用計器が知られている（例えば、特許文献１参照）。
【０００３】
まず、構成から説明すると、このような従来の車両用計器では、計器ケース１内に、光源２の照光を表面側に透光することにより照明される文字板３が設けられると共に、この文字板３の背面側には、前記光源２と前記文字板３との間に介在して、略均等に照光を拡散する導光部材４が配置されている。
【０００４】
この導光部材４の指針挿通用の開口４ｂの周囲には、反射面４ａが形成されている。また、前記文字板３の一部が、この反射面４ａに対応させた位置で、切欠かれていて導光部材４の上面を露出させている。
【０００５】
前記指針挿通用の開口４ｂに回転可能に挿通される指針５は、半透明の透光性材質によって構成される指針本体５ａを有し、この指針本体５ａの基部５ｂには、前記導光部材４の反射面４ａから指針５側に反射される光を受け入れる受光部５ｃが設けられている。
【０００６】
次に、この従来の車両用計器の作用について説明する。
【０００７】
このように構成された従来の車両用計器では、計器ケース１内に設けられた光源２の点灯によって、照光が前記導光部材４を介して拡散されて、前記文字板３の表面側に透光される。
【０００８】
また、この光源２の照光は、同時に前記導光部材４の反射面４ａによって、指針５側に反射されて、受光部５ｃによって受け入れられることにより、指針本体５ａが照明されるように構成されている。
【０００９】
なお、前記文字板３の照明と、前記指針本体５ａの照明とを個別に設けた複数の光源を用いて、それぞれ行うものも知られている（例えば、特許文献２参照）。
【００１０】
【特許文献１】
実公平５−１５０５８号公報
【特許文献２】
特許第３２１１２２９号公報（図１、
【００１９】乃至
【００４６】段落）
【００１１】
【発明が解決しようとする課題】
しかしながら、前記図３に示すような従来の車両用計器では、前記指針本体５ａの発光が不要である場合には、不透明樹脂等の不透光性材質で構成された指針本体５ａを用いている。このため、指針本体５ａを、前記図３に示すような半透明の透光性材質によって構成されたものと、不透明樹脂等の不透光性材質で構成されたものとの２種類用意しなければならず、製造コストが上昇してしまうといった問題があった。
【００１２】
また、前記半透明の透光性材質によって構成されたものに比して、不透明樹脂等の不透光性材質で構成されたものは、樹脂材料感が強く、外観品質が良好でない場合が多かった。
【００１３】
そこで、本発明の目的は、外観品質の良好な半透明の透光性材質によって構成される指針本体を、照明の有無に関わらず、文字板を裏面側から透過照明するメータに用いることにより、製造コストの上昇を抑制出来る車両用計器を提供することにある。
【００１４】
【課題を解決するための手段】
本発明は、かかる問題点に着目してなされたもので、請求項１に係る発明では、計器ケース内に、光源の照光を表面側に透光することにより照明される文字板が設けられると共に、該文字板には、指針挿通用の開口が形成されて、半透明の透光性材質によって構成される指針本体の基部から突設された軸部を回転可能に挿通する指針を有し、該基部には、前記光源からの光を受け入れる受光部が設けられている車両用計器であって、前記軸部の周囲には、前記受光部への前記光源からの光が入光しないように遮る遮蔽筒部材が設けられている車両用計器を特徴としている。
【００１５】
このように構成された請求項１記載のものでは、前記遮蔽筒部材が、前記指針本体の軸部の周囲に設けられて、前記光源からの光が、前記受光部へ入光しないように遮られる。
【００１６】
このため、外観品質の良好な半透明の透光性材質によって構成される指針本体を、該指針本体を照明するものと、該指針本体を照明しないものとで共用出来、製造コストの上昇が抑制される。
【００１７】
また、請求項２に記載されたものでは、前記遮蔽筒部材は、前記計器ケースに一体に形成されている請求項１記載の車両用計器を特徴としている。
【００１８】
このように構成された請求項２に記載されたものでは、前記遮蔽筒部材が、前記計器ケースに一体に形成されているので、別部品で前記遮蔽筒部材を設ける必要が無く、部品点数の増大が抑制されると共に、組付け工数も減少して、更に製造コストの増大を抑制出来る。
【００１９】
更に、請求項３に記載されたものでは、前記計器ケース内には、回路基板が介装されると共に、前記指針本体の軸部を回転させるムーブメントを該回路基板の裏面側に装着することにより、前記遮蔽筒部材の下端部を該回路基板の表面側に当接させた請求項１又は２記載の車両用計器を特徴としている。
【００２０】
このように構成された請求項３記載のものでは、前記計器ケース内に介装された前記回路基板の表面側に前記遮蔽筒部材の下端部が、当接されるので、該下端部と、前記回路基板との間から、前記光源の照光が侵入する虞が無い。
【００２１】
このため、更に、前記指針の外観品質を良好なものとすることが出来る。
【００２２】
【発明の実施の形態１】
図１及び図２は、この発明の実施の形態１の車両用計器を示すものである。
【００２３】
なお、前記従来例と同一乃至均等な部分については、同一符号を付して説明する。
【００２４】
まず、構成から説明すると、この実施の形態１の車両用計器では、図２に示すように、自動車に設けられるコンビネーションメータ１０には、水温計１０ａ及び燃料計１０ｂ等の計器が隣接されて、計器ケース１１内に設けられている。この計器ケース１１内には、表面側１２ａに光源としてのＬＥＤ１３が実装された図１に示すような回路基板１２が介装されると共に、このＬＥＤ１３の照光を表面側に透光することにより、図２に示すような表面の絵文字１４ａ又は目盛り部１４ｂ…が照明されるように構成された文字板１４が設けられている。
【００２５】
更に、この計器ケース１１の裏面側が、背面板１５によって閉塞されていて、前記文字板１４を覆う図示省略の透明カバー部材と共に、この計器ケース１１を略ボックス状とするように構成されている。
【００２６】
この文字板１４には、指針挿通用の開口１４ｃが、略円形に開口形成されていて、図示省略の切欠きが、適宜形成されている。
【００２７】
また、この指針挿通用の開口１４ｃには、指針５の基部５ｂから突設された軸部５ｄが、回転可能に挿通されて設けられている。
【００２８】
この指針５には、半透明の透光性材質によって構成される指針本体５ａが一体に設けられている。また、この指針本体５ａの基部５ｂには、前記ＬＥＤ１３からの光が、後述する遮蔽筒部材２０が存在しない発光指針を有するタイプのメータでは、受け入れ可能とする受光部５ｃが設けられている。
【００２９】
更に、この指針５の基部５ｂには、不透明の樹脂材料によって構成された樹脂キャップ部材５ｅが、上方から嵌着されている。
【００３０】
そして、このコンビネーションメータ１０には、前記軸部５ｄの周囲に、前記受光部５ｃへの前記光源からの光が入光しないように遮る円筒形状の遮蔽筒部材２０，２０が設けられている。
【００３１】
この実施の形態１のコンビネーションメータ１０では、前記計器ケース１１の外周部１１ａから延設される１つ或いは複数の橋状部材１１ｂ…，１１ｃ…によって、これらの遮蔽筒部材２０の外周部と、これらの遮蔽筒部材２０，２０とが連結されて、一体となるように形成されている。
【００３２】
また、この実施の形態１では、前記指針本体５ａを回転させるムーブメント１７が、前記回路基板１２の裏面側１２ｂに装着されている。
【００３３】
このムーブメント１７には、前記指針本体５ａの基部５ｂから突設された前記軸部５ｄに接続される回転軸１６が設けられていて、図示省略のメータ制御部から送られてくる信号に応じて、この回転軸１６を回動させることにより、前記指針５の先端位置を目盛り部１４ｂの適正指示位置に移動させるように構成されている。
【００３４】
そして、このムーブメント１７が、前記回路基板１２の裏面側１２ｂに装着されることにより、この実施の形態１では、前記遮蔽筒部材２０の下端部２０ａが、前記回路基板１２の表面側１２ａに直接、当接されるように構成されている。
【００３５】
次に、この実施の形態１の車両用計器の作用について説明する。
【００３６】
この実施の形態１のコンビネーションメータ１０では、前記遮蔽筒部材２０が、前記指針本体５ａの基部５ｂから突設された軸部５ｄの周囲に設けられて、前記ＬＥＤ１３からの光が、前記受光部５ｃへ入光しないように遮られる。
【００３７】
このため、前記ＬＥＤ１３の照光を表面側に透光することにより、表面の絵文字１４ａ又は目盛り部１４ｂ…が照明されるように構成された文字板１４であっても、外観品質の良好な半透明の透光性材質によって構成される指針本体５ａを、発光させないで使用できる。
【００３８】
また、外観品質の良好な半透明の透光性材質によって構成される指針本体５ａを、照明するメータと、この指針本体５ａを照明しないメータとで共用出来、不透明樹脂材料等で構成される発光しない指針を別途用意する必要も無くなり、材料製造コストの上昇が抑制される。
【００３９】
更に、不透明樹脂等の不透光性材質で構成されたものが有する強い樹脂材料感を考慮すること無く、クリスタル感を有する透明材料製の指針本体５ａを多用して、外観品質を良好なものとすることができる。
【００４０】
また、一つのコンビネーションメータ１０内でも、発光指針のメータと不発光指針のメータとを混在させることができる。すなわち、前記発光指針と不発光指針とは、両指針が発光していない状態では、同一の指針本体５ａ，５ａとして視認されるので、統一感を得られて、外観品質が低下する虞がない。しかも、必要に応じて、適宜、発光指針のみが照明されるので、照明効率が良好である。
【００４１】
従って、コンビネーションメータ１０のデザインの自由度を拡大することができる。
【００４２】
そして、前記遮蔽筒部材２０が、前記計器ケース１１に一体に形成されているので、別部品で前記遮蔽筒部材２０を設ける必要が無く、部品点数の増大が抑制されると共に、組付け工数も減少して、更に製造コストの増大を抑制出来る。
【００４３】
更に、前記計器ケース１１内に介装された前記回路基板１２の表面側１２ａに前記遮蔽筒部材２０の下端部２０ａが、直接、当接されている。
【００４４】
このため、この下端部２０ａと、前記回路基板１２との間から、前記ＬＥＤ１３の照光が、漏れて侵入する虞が無い。
【００４５】
従って、更に、前記指針本体５ａ内に前記ＬＥＤ１３の照光が入光して発光する虞が減少して、半発光等することにより、外観品質が低下してしまう虞を無くして、外観品質を良好なものとすることが出来る。
【００４６】
更に、この実施の形態１では、前記各水温計１０ａ又は燃料計１０ｂに、それぞれ１つづつＬＥＤ１３，１３を設けることにより、前記表面の絵文字１４ａ及び目盛り部１４ｂと、前記指針本体５ａとを同時に照明する発光指針タイプのメータと、前記表面の絵文字１４ａ及び目盛り部１４ｂのみを照明する不発光指針タイプのメータとを、同一回路基板１２上の同一箇所に設けて共用出来る。
【００４７】
このため、回路基板１２をメータのバリエーションに応じて、複数種類用意する必要が減少して、更に、製造コストを減少させることができる。
【００４８】
しかも、前記各水温計１０ａ又は燃料計１０ｂに、それぞれ１つづつＬＥＤ１３，１３を設けることにより、照明用のＬＥＤ１３が充足するので、照明効率が良好で、省電力化を図ることができる。
【００４９】
以上、図面を参照して、本発明の実施の形態１の車両用計器を詳述してきたが、具体的な構成は、この実施の形態１に限らず、本発明の要旨を逸脱しない程度の設計的変更は、本発明に含まれる。
【００５０】
例えば、前記実施の形態１では、コンビネーションメータ１０の水温計１０ａ及び燃料計１０ｂ部分の文字板３の背面側に、導光部材を設けていない構成のものを示して説明してきたが、特にこれに限らず、例えば、従来例のように、前記光源２と前記文字板３との間に、略均等に照光を拡散する導光部材４が介在されて配置されているものであってもよい。
【００５１】
【発明の効果】
上述してきたように、請求項１記載のものでは、前記遮蔽筒部材が、前記指針本体の軸部の周囲に設けられて、前記光源からの光が、前記受光部へ入光しないように遮られる。
【００５２】
このため、外観品質の良好な半透明の透光性材質によって構成される指針本体を、該指針本体を照明するものと、該指針本体を照明しないものとで共用出来、製造コストの上昇が抑制される。
【００５３】
また、請求項２に記載されたものでは、前記遮蔽筒部材が、前記計器ケースに一体に形成されているので、別部品で前記遮蔽筒部材を設ける必要が無く、部品点数の増大が抑制されると共に、組付け工数も減少して、更に製造コストの増大を抑制出来る。
【００５４】
更に、請求項３に記載されたものでは、前記計器ケース内に介装された前記回路基板の表面側に前記遮蔽筒部材の下端部が、当接されるので、該下端部と、前記回路基板との間から、前記光源の照光が侵入する虞が無い。
【００５５】
このため、更に、前記指針の外観品質を良好なものとすることが出来る、という実用上有益な効果を発揮する。
【図面の簡単な説明】
【図１】本発明の実施の形態１の車両用計器で、要部の構成を説明する図２中Ａ−Ａ線に沿った位置での断面図である。
【図２】実施の形態１の車両用計器で、コンビネーションメータに設けられた水温計及び燃料計部分の拡大正面図である。
【図３】従来例の車両用計器で、要部の構成を説明する断面図である。
【符号の説明】
５              指針
５ａ            指針本体
５ｂ            基部
５ｃ            受光部
５ｄ            軸部
計器
１０            コンビネーションメータ
１０ａ          水温計
１０ｂ          燃料計
１２            回路基板
１２ａ          表面側
１２ｂ          裏面側
１３            ＬＥＤ（光源）
１４            文字板
１４ｃ          開口
２０            遮蔽筒部材
２０ａ          下端部
【図１】
2005010086.tif 000003
【図２】
2005010086.tif 000004
【図３】
2005010086.tif 000005